(57)【要約】【課題】  組立分解が容易で保管時の省スペース化を実現しながらも、安定感に優れて転倒しにくい皿立てを提供すること。【解決手段】  ともに平板状をした受け部材１と支持部材２からなり、前記受け部材１には、後方側において略Ｕ字形をした嵌合溝12を設ける一方、前方側において皿受け孔14を設け、前記支持部材２には、受け部材１における嵌合溝12の横幅より幅広に形成された基部21と、該基部21から上方向に延設されて受け部材１における嵌合溝12の横幅より幅狭に形成された支持部22と、該支持部22の基端において左右方向に穿設されたスリット孔23を設けて、支持部材２における支持部22を受け部材１における嵌合溝12に下方から嵌入させた後、該嵌合溝12の内側に形成された舌片13を支持部のスリット孔23に挿入させることにより組み立てられるよう構成した。【選択図】  図５
2005185379.tif 000002
【特許請求の範囲】
【請求項１】
ともに平板状をした受け部材と支持部材とからなり、
前記受け部材は、後方側において略Ｕ字形をした嵌合溝を備える一方、前方側において皿受け孔を備えており、
前記支持部材は、受け部材における嵌合溝の横幅より幅広に形成された基部と、該基部から上方向に延設されて受け部材における嵌合溝の横幅より幅狭に形成された支持部と、該支持部の基端において左右方向に穿設されたスリット孔を備えているものであって、
支持部材における支持部を受け部材における嵌合溝に下方から嵌入させた後、該嵌合溝の内側に形成された舌片を支持部のスリット孔に嵌入させることにより組み立てられるよう構成されてなる皿立て。
【請求項２】
組立使用時には、支持部材における基部底辺と受け部材における前辺が、それぞれ少なくとも２カ所以上で接地するように形成されてなる請求項１記載の皿立て。
【発明の詳細な説明】
【技術分野】
【０００１】
本発明は、分解収納に優れる簡易な部材構成でありながら、組み立てると絵皿等を安定的に展示することができる皿立ての改良に関する。
【背景技術】
【０００２】
装飾絵皿などを展示する際に用いられる皿立てとしては、従来から様々な構成のものが提案されている。例えば、蝶番で左右方向に開閉自在に形成した一対の略Ｌ字形脚片を用いるものや（特許文献１）、こうした一対の脚片の開脚状態を維持するために脚片の底面部分に設けた突起を差込み固定可能とした板状台座を用いるもの（特許文献２）、あるいは脚片とは別部材とした絵皿等の支持部材を組み合わせることとし、Ｖ字形に開いた脚片間に固定部材を架け渡すことにより脚片の開度を固定しながら前記固定部材や脚片に対して支持部材を立設するもの（特許文献３及び４）、さらには略Ｕ字形をした接地部に対して背凭れ部を傾斜倒立可能に形成したもの（特許文献５）などが例示される。
【０００３】
ところが、これらの皿立ては、いずれも構造が複雑だったり、部品点数が多かったりするために製造コスト高を招来する欠点があった。そこで、本発明者は、わずかに２枚の板状部材を組み合わせるだけで完成し、軽量かつ安価で保管スペースを必要としない物品立て掛け具を提案した（特許文献６）。この物品立て掛け具は、ともに所定の厚みをした板状の支持部材と立上部材とからなり、主として支持部材側に設けたスリット溝内に立上部材を下方から挿通することによって組立完了となって、立て掛けた絵皿の下縁を支持部材の最前面側に設けられたスリット溝で受ける一方、立上部材の最上部により絵皿の裏面を支持するものであった。
【０００４】
【特許文献１】特開２００１−８７１０３号公報（第１頁、図１）
【特許文献２】登録実用新案第３０４１９５２号公報（第２頁、図１）
【特許文献３】実開平５−９５３６５号公報（第２頁、図１）
【特許文献４】実開平６−２１４６８号公報（第２頁、図１）
【特許文献５】登録実用新案第３０６４６２９号（第２頁、図１）
【特許文献６】実開平７−３０８２６号公報（第２頁、図１）
【発明の開示】
【発明が解決しようとする課題】
【０００５】
確かに、前記物品立て掛け具は、部材点数が少なくコスト安であり、従来の皿立てには見られなかったシンプルなデザインが好評を博したのであるが、支持部材に対して一方向から立上部材を差し込むだけであったので、組立完了状態にあるにもかかわらず、物品立て掛け具を不用意に持ち上げると両部材の係合が解除されてしまう不都合があった。加えて、使用状態においては略三角形状をした支持部材の頂部と立上部材の底辺が３点支持的に接地しているだけであったので転倒し易く、したがって、とくに絵皿を載置したままの状態で展示位置を変更する際には格別な注意を必要とする欠点があったのである。
【０００６】
しかるに、本発明では、組立分解が容易で保管時の省スペース化を実現しながらも、組立状態をしっかりと維持することができ、安定感に優れて転倒しにくい皿立てを提供することを課題とするものである。
【課題を解決するための手段】
【０００７】
前記所期の課題解決を図るべく、本発明に係る皿立ては、先に本発明者が考案した物品立て掛け具を改良して次のような構成とした。すなわち、ともに平板状をした受け部材と支持部材とからなり、前記受け部材には、後方側において略Ｕ字形をした嵌合溝を設ける一方、前方側において皿受け孔を設けて、前記支持部材には、受け部材における嵌合溝の横幅より幅広に形成された基部と、該基部から上方向に延設されて受け部材における嵌合溝の横幅より幅狭に形成された支持部と、該支持部の基端において左右方向にスリット孔を設けて、支持部材における支持部を受け部材における嵌合溝に下方から嵌入させた後、該嵌合溝の内側に形成された舌片を支持部のスリット孔に嵌入させることにより組み立てられるよう構成したのである。
【０００８】
受け部材と支持部材をともに平板状とし、両部材を係合離脱することにより組立分解可能とした点は先の物品立て掛け具と同様であるが、先の物品立て掛け具では支持部材に対して一方向から立上部材を差し込むだけであったのに対して、本発明に係る皿立てでは、受け部材に対して支持部材を差し込んだ後に、さらに受け部材の舌片を支持部材のスリット孔に挿通することにより、両部材の完全な係合を図るようにした点に特徴がある。
【０００９】
また、受け部材における前方側、つまり、支持部材の係合位置とは反対側に位置し、完成した皿立てを載置した際には接地側となる部分に皿受け孔を設けることで、皿立てに展示された絵皿等の重心位置を低く設定した点にも特徴がある。
【００１０】
また、本発明では、前記皿立ての組立使用時において、支持部材における基部底辺と受け部材における前辺が、それぞれ少なくとも２カ所以上で接地するように形成し、皿立て全体で計４カ所の接地箇所を確保することとしたのである。
【発明の効果】
【００１１】
本発明に係る皿立ては、ともに平板状をした２枚の部材を係合・分離するだけで組立・分解可能であり、突起物が一切ないことと相俟って、未使用分解時や流通時の省スペース化・輸送コストの低減や製造コストの低減が図られるのみならず、組立使用時においては二方向に差し込まれた受け部材と支持部材が完全にロックされるので、持ち上げた際などに不用意に係合が解除されて展示中の絵皿が脱落破損するといった事故を防止することができる。
【００１２】
また、使用時には、展示した絵皿を低重心で支えながら、受け部材と支持部材の各底辺において２カ所ずつ計４点で接地するので、転倒しにくく安全かつ安定使用が可能である。
【発明を実施するための最良の形態】
【００１３】
以下、本発明に係る皿立てを図面に基づいて詳細に説明する。図１は本発明に係る皿立てにおける受け部材の一例を示した平面図、図２は本発明に係る皿立てにおける支持部材の一例を示した平面図、図３ないし図５は、これら受け部材と支持部材の組み立て過程を示す斜視図、図６は完成した皿立てに絵皿を飾った使用状態の斜視図である。
【００１４】
図１に示された例の受け部材１は、やや縦長ではあるが、ほぼ正方形状をした平板からなるもので、四隅部分の角が丸く落とされて滑らかに形成され、組立使用時には接地側となる前辺11がアクセントとなるよう波形に装飾カットされた輪郭形状をなしている。受け部材１の輪郭形状はこうした略正方形状に限られるものではなく、長方形状や台形状など様々な形状を採用しうるが、流通破損防止等の観点からは、本例のように隅部を丸く滑らかに仕上げるのが望ましい。受け部材１を形成する材質としては、天然木、合板、アクリル樹脂板、メラミン化粧合板、金属板など、切断加工可能なものであれば様々なものが用いられうる。受け部材１の大きさや肉厚については、展示対象となる絵皿の大きさや後述する支持部材との関係で決定すればよく、例えば直径14cmから21cm程度の絵皿であれば、縦12cm、肉厚0.5cm程度とする。
【００１５】
受け部材１の中程より後方側には略Ｕ字形をした嵌合溝12が刻設されており、この嵌合溝12で三方を囲まれた内側部分を舌片13としている。嵌合溝12における左右の横幅や溝幅は、後述する支持部材との関係で決定されることになる。
【００１６】
受け部材１の中程より前方側には皿受け孔14が配設されている。本例の皿受け孔14は、周縁が湾曲した深皿を展示する場合であっても確実に皿の縁を保持できるように、前縁141を直線状としつつも後縁142を大きく湾曲させた略蒲鉾形としている。こうした皿受け孔14をできるだけ前辺11寄りに位置させることで、絵皿を展示した際には重心を低く保つことができる結果、安定感に優れて転倒しにくい皿立てとなるのである。
【００１７】
一方、図２に示された支持部材２もまた受け部材１と同様な厚みからなる平板を切断加工してなるもので、横長な基部21から上方向に支持部22が延設された略逆Ｔ字形をしている。基部21の横幅Ｂ'は、前記受け部材１における嵌合溝12の横幅Ａよりも広幅であればよいが、本例では皿立てとして完成した際のデザインバランスや梱包の便宜等を考慮して、受け部材１の全幅Bと同一幅に設定されている。これに対して、支持部22の横幅Ａ'は、前記受け部材１における嵌合溝12の横幅Ａよりも幅狭に設定されるが、支持部22の基端において左右方向に穿設されたスリット孔23に前記受け部材１における舌片13が挿通される都合上、当該舌片13の横幅Ｃよりは広幅に形成されることになる。
【００１８】
したがって、前記スリット孔23の横幅Ｃ'は、受け部材１における舌片13の横幅Ｃと略同等以上であり、孔の縦幅は受け部材１の肉厚と略同等以上に設定されるほか、スリット孔23におけるスリット前縁231が基部21の左右上縁に位置する控部211,211と同一高さに位置するよう設定されることになる。
【００１９】
本例の支持部材２では、基部21の高さＤを3.5cmとし、支持部22の高さＥを８cmとしているが、これら高さＤ, Ｅの設定バランスによって、完成した皿立ての趣や、絵皿の展示状態の安定感が相違することになる。すなわち、基部21の高さＤを小さく設定すると、係合組立した受け部材１の傾斜角度が変わることになるし、全高（Ｄ＋Ｅ）を大きく設定すると、展示した絵皿の傾斜角度が変わることになるわけである。
【００２０】
以上のように形成した受け部材１と支持部材２を組み合わせて本発明に係る皿立てを完成するには、まず、図３に示されるように、受け部材１における嵌合溝12に対して、支持部材２における支持部22の先端を下方から嵌入させて、基部21における控部211の上縁が受け部材１の裏面に当接するまで支持部材２を引き上げる。
【００２１】
次いで、図４に示されるように、受け部材１と支持部材２の直交状態を保ったまま、支持部材２を後方（図中の矢印方向）へとスライドさせながら、受け部材１における舌片13を支持部材２におけるスリット孔23に嵌入させる。引き続き支持部材２をスライドさせると、図５に示されるように、舌片13がスリット孔23内に完全に挿入され、嵌合溝12の上縁に支持部材２におけるスリット孔23の左右両側部分が当接した状態で、皿立ては組み立て完了となるのである。
【００２２】
図６に示されるように、完成した皿立てに対して絵皿３を立て掛けて展示するには、受け部材１における皿受け孔14に対して絵皿３の下縁を嵌入させた後、支持部材２における支持部22の先端に対して絵皿３の裏面を立て掛ける。絵皿３の下縁が机上近くに位置することになると同時に、受け部材１の前辺11と支持部材２における基部21の底辺が机上に接地しているために、皿立て自体ひいては絵皿３が転倒しづらく、安定的に展示使用することができる。図示されるように、本発明に係る皿立てでは、立て掛けた絵皿３が隠れるのはせいぜい受け部材１における皿受け孔14と前辺11との間のわずかな部分だけなので、絵皿３のほぼ全面を隠すことなく、美しく展示することができるのである。
【図面の簡単な説明】
【００２３】
【図１】本発明に係る皿立てにおける受け部材の一例を示した平面図である。
【図２】本発明に係る皿立てにおける支持部材の一例を示した平面図である。
【図３】図１の受け部材における嵌合溝内に、図２の支持部材における支持部を嵌入させている組立過程を示す斜視図である。
【図４】図３の状態から支持部材におけるスリット孔に対して受け部材における舌片を挿通させている組立過程を示す斜視図である。
【図５】図４の状態から組立完成した状態を示す斜視図である。
【図６】完成した皿立てに絵皿を飾った使用状態の斜視図である。
【符号の説明】
【００２４】
１      受け部材
２      支持部材
３      絵皿
１１    前辺
１２    嵌合溝
１３    舌片
１４    皿受け孔
２１    基部
２２    支持部
２３    スリット孔
１４１  前縁
１４２  後縁
２１１  控部
２３１  スリット前縁
【図１】
2005185379.tif 000003
【図２】
2005185379.tif 000004
【図３】
2005185379.tif 000005
【図４】
2005185379.tif 000006
【図５】
2005185379.tif 000007
【図６】
2005185379.tif 000008